(57)【要約】【課題】  転写体に対して十分に冷却制御を機能させて記録を行うことを目的とする。【解決手段】  加熱手段によって加熱され、冷却手段によって冷却された後の転写体の温度を温度センサによって検知し、検知された温度が所定の温度条件を満たす場合には、記録手段によって転写体上にインク像を形成させ、検知された温度が所定の温度条件を満さない場合には、記録システムにおける記録に係る動作を停止させるための処理を行うことを特徴とする記録システム。【選択図】  図９
2019150962.tif 000002
【特許請求の範囲】
【請求項１】
インク像の形成領域および転写領域を循環的に通過する転写体と、
前記形成領域において前記転写体にインクを吐出し、前記転写体上にインク像を形成する記録手段と、
記録媒体を搬送する搬送手段と、
前記搬送手段により搬送される記録媒体に、前記転写体から前記インク像を転写する転写手段と、
前記転写手段による転写前に、前記転写体上の前記インク像を加熱する加熱手段と、
前記転写手段による転写後に、前記転写体を冷却する冷却手段と、
前記冷却手段と前記形成領域との間に配された前記転写体の温度を検知するための温度センサと、
を備える記録システムであって、
前記転写体上にインク像を形成する前に、前記転写体を前記加熱手段によって加熱し、前記冷却手段によって冷却した後に前記温度センサを用いて前記転写体の温度を検知し、検知された温度が所定の温度範囲以内である場合には、記録手段によってインク像を形成させ、前記検知された温度が前記所定の温度範囲以内でない場合には、前記記録システムにおける記録に係る動作を停止させるための処理を行う制御手段をさらに有することを特徴とする記録システム。
【請求項２】
前記制御手段は、前記加熱手段による前記転写体の加熱を開始してから所定の時間が経過したときに前記冷却手段による前記転写体の冷却を開始し、前記冷却の開始から所定の時間が経過した後に前記温度センサを用いて前記転写体の温度を検知することを特徴とする請求項１に記載の記録システム。
【請求項３】
前記制御手段は、前記冷却の開始から所定の時間が経過した後に検知した前記転写体の温度が所定の温度範囲以内であるか否かを判定し、前記所定の温度範囲以内である場合には、前記加熱手段による加熱温度を記録時に使用する加熱温度とした後に前記温度センサを用いて前記転写体の温度を検知し、検知された温度が所定の温度範囲以内である場合には、記録手段によってインク像を形成させ、前記検知された温度が前記所定の温度範囲以内でない場合には、前記記録システムにおける記録に係る動作を停止させるための処理を行うことを特徴とする請求項２に記載の記録システム。
【請求項４】
前記制御手段は、前記検知された温度が前記所定の温度範囲以内でない場合には、前記記録システムにおける記録に係る動作を停止させるための処理として、表示手段にエラーを表示させるための処理を行うことを特徴とする請求項１乃至３のいずれか１項に記載の記録システム。
【請求項５】
前記冷却手段は前記転写体上を清掃するための清掃部材であり、前記制御手段は前記清掃部材を冷却する制御を行うことを特徴とする請求項１乃至４のいずれか１項に記載の記録システム。
【請求項６】
インク像の形成領域および転写領域を循環的に通過する転写体と、
前記形成領域において前記転写体にインクを吐出し、前記転写体上にインク像を形成する記録手段と、
記録媒体を搬送する搬送手段と、前記搬送手段により搬送される記録媒体に、前記転写体から前記インク像を転写する転写手段と、
前記転写手段による転写前に、前記転写体上の前記インク像を加熱する加熱手段と、
前記転写手段による転写後に、前記転写体を冷却する冷却手段と、
前記冷却手段と前記形成領域との間に配された前記転写体の温度を検知するための温度センサと、を備える記録システムにおける記録方法であって、
前記加熱手段によって加熱され、前記冷却手段によって冷却された後の前記転写体の温度を前記温度センサによって検知し、検知された温度が所定の温度範囲以内である場合には、記録手段によってインク像を形成させ、前記検知された温度が前記所定の温度範囲以内でない場合には、前記記録システムにおける記録に係る動作を停止することを特徴とする記録方法。
【発明の詳細な説明】
【技術分野】
【０００１】
本発明はインク像の形成領域および転写領域を通過する転写体を介して記録媒体にインク像を転写する記録装置および記録方法に関する。
【背景技術】
【０００２】
転写体を介して記録媒体にインク像を転写するインクジェット印刷装置において、印刷品位に影響を与える要因の一つとして転写体に対しての温度制御がある。ここでいう温度制御とは転写の一連プロセスにおいて、回転する転写体に対して加熱と冷却を交互に行う温度制御であり、加熱は転写効率を高めるため、冷却はインク吐出を安定して行うための処理となる。加熱、冷却共に適切な機能を発揮することでムラのない高品質な記録画像を提供することが可能となる。
【０００３】
この加熱処理とはヒータ機構などが発する熱を利用して転写体などの対象物の温度を上昇させる処理であり、冷却処理は水噴霧や中空ローラなどを使用して熱を逃がす処理のことをいう。
【０００４】
しかしながら、冷却制御においては装置の周辺温度や装置内温度など、環境の影響を受けるため、冷却する温度を定量的に制御し難いという課題がある。そのため冷却制御による冷却効果が目標通り得られない状態で、印刷を実行した場合、冷却効果不足により予想外の高温となってしまう。
【先行技術文献】
【特許文献】
【０００５】
【特許文献１】特開２００２−２０２６７０号公報
【特許文献２】特開平１１−１８４３０１号公報
【発明の概要】
【発明が解決しようとする課題】
【０００６】
例えば特許文献１では、加熱定着されて高温となった転写体に対し、温度及び湿度、プリントモード、及び転写体の種別の違い等に対応した冷却制御を提案しているが冷却能力の計測には至っていない。また特許文献２においても加熱制御情報を元に冷却制御を行うが同様に冷却性能の判断は行っていない。
【０００７】
本発明の目的は、そのような従来技術を鑑み、転写体に対して十分に冷却制御を機能させて記録を行うことを目的とする。
【課題を解決するための手段】
【０００８】
本発明は、インク像の形成領域および転写領域を循環的に通過する転写体と、前記形成領域において前記転写体にインクを吐出し、前記転写体上にインク像を形成する記録手段と、記録媒体を搬送する搬送手段と、前記搬送手段により搬送される記録媒体に、前記転写体から前記インク像を転写する転写手段と、前記転写手段による転写前に、前記転写体上の前記インク像を加熱する加熱手段と、前記転写手段による転写後に、前記転写体を冷却する冷却手段と、前記冷却手段と前記形成領域との間に配された前記転写体の温度を検知するための温度センサと、を備える記録システムであって、前記加熱手段によって加熱され、前記冷却手段によって冷却された後の前記転写体の温度を前記温度センサによって検知し、検知された温度が所定の温度条件を満たす場合には、記録手段によってインク像を形成させ、前記検知された温度が前記所定の温度条件を満さない場合には、前記記録システムにおける記録に係る動作を停止させることを特徴とする。
【発明の効果】
【０００９】
本発明によれば、記録に際して目標とする冷却制御の効果を判定することにより、転写体に対して十分に冷却制御を機能させて記録を行うことが可能となる。
【図面の簡単な説明】
【００１０】
【図１】記録システムの概要図である。
【図２】記録ユニットの斜視図である。
【図３】図２の記録ユニットの変位態様の説明図である。
【図４】図１の記録システムの制御系のブロック図である。
【図５】図１の記録システムの制御系のブロック図である。
【図６】図１の記録システムの動作例の説明図である。
【図７】図１の記録システムの動作例の説明図である。
【図８】図５における転写制御部とセンサ／アクチュエータ群の構成である。
【図９】第１の実施形態における制御フローを説明する図である。
【図１０】第１の実施形態における制御時の温度変化を説明する表である。
【図１１】第２の実施形態における制御フローを説明する図である。
【図１２】第２の実施形態における制御時の温度変化を説明する表である。
【図１３】第３の実施形態における制御フローを説明する図である。
【図１４】第３の実施形態における制御時の温度変化を説明する表である。
【発明を実施するための形態】
【００１１】
図面を参照して本発明の実施形態について説明する。各図において、矢印ＸおよびＹは水平方向を示し、互いに直交する。矢印Ｚは上下方向を示す。
【００１２】
＜記録システム＞
図１は本発明の一実施形態に係る記録システム１を概略的に示した正面図である。記録システム１は、転写体２を介して記録媒体Ｐにインク像を転写することで記録物Ｐ’を製造する、枚葉式のインクジェットプリンタである。記録システム１は、記録装置１Ａと、搬送装置１Ｂとを含む。本実施形態では、Ｘ方向、Ｙ方向、Ｚ方向が、それぞれ、記録システム１の幅方向（全長方向）、奥行き方向、高さ方向を示している。記録媒体ＰはＸ方向に搬送される。
【００１３】
なお、「記録」には、文字、図形等有意の情報を形成する場合のみならず、有意無意を問わず、広く記録媒体上に画像、模様、パターン等を形成する、又は媒体の加工を行う場合も含まれ、人間が視覚で知覚し得るように顕在化したものであるか否かを問わない。また、本実施形態では「記録媒体」としてシート状の紙を想定するが、布、プラスチック・フィルム等であってもよい。
【００１４】
インクの成分については、特に限定はないが、本実施形態では、色材である顔料、水、樹脂を含む水性顔料インクを用いる場合を想定する。
【００１５】
＜記録装置＞
記録装置１Ａは、記録ユニット３、転写ユニット４および周辺ユニット５Ａ〜５Ｄ、および、供給ユニット６を含む。
【００１６】
＜記録ユニット＞
記録ユニット３は、複数の記録ヘッド３０と、キャリッジ３１とを含む。図１と図２を参照する。図２は記録ユニット３の斜視図である。記録ヘッド３０は、転写体２に液体インクを吐出し、転写体２上に記録画像のインク像を形成する。
【００１７】
本実施形態の場合、各記録ヘッド３０は、Ｙ方向に延設されたフルラインヘッドであり、使用可能な最大サイズの記録媒体の画像記録領域の幅分をカバーする範囲にノズルが配列されている。記録ヘッド３０は、その下面に、ノズルが開口したインク吐出面を有しており、インク吐出面は、微小隙間（例えば数ｍｍ）を介して転写体２の表面と対向している。本実施形態の場合、転写体２は円軌道上を循環的に移動する構成であるため、複数の記録ヘッド３０は、放射状に配置されている。
【００１８】
各ノズルには吐出素子が設けられている。吐出素子は、例えば、ノズル内に圧力を発生させてノズル内のインクを吐出させる素子であり、公知のインクジェットプリンタのインクジェットヘッドの技術が適用可能である。吐出素子としては、例えば電気−熱変換体によりインクに膜沸騰を生じさせ気泡を形成することでインクを吐出する素子、電気−機械変換体によってインクを吐出する素子、静電気を利用してインクを吐出する素子等が挙げられる。高速で高密度の記録の観点からは電気−熱変換体を利用した吐出素子を用いることができる。
【００１９】
本実施形態の場合、記録ヘッド３０は、９つ設けられている。各記録ヘッド３０は、互いに異なる種類のインクを吐出する。異なる種類のインクとは、例えば、色材が異なるインクであり、イエローインク、マゼンタインク、シアンインク、ブラックインク等のインクである。１つの記録ヘッド３０は１種類のインクを吐出するが、１つの記録ヘッド３０が複数種類のインクを吐出する構成であってもよい。このように複数の記録ヘッド３０を設けた場合、そのうちの一部が色材を含まないインク（例えばクリアインク）を吐出してもよい。
【００２０】
キャリッジ３１は、複数の記録ヘッド３０を支持する。各記録ヘッド３０は、インク吐出面側の端部がキャリッジ３１に固定されている。これにより、インク吐出面と転写体２との表面の隙間をより精密に維持することができる。キャリッジ３１は、案内部材ＲＬの案内によって、記録ヘッド３０を搭載しつつ変位可能に構成されている。本実施形態の場合、案内部材ＲＬは、Ｙ方向に延設されたレール部材であり、Ｘ方向に離間して一対設けられている。キャリッジ３１のＸ方向の各側部にはスライド部３２が設けられている。スライド部３２は案内部材ＲＬと係合し、案内部材ＲＬに沿ってＹ方向にスライドする。
【００２１】
図３は記録ユニット３の変位態様を示しており、記録システム１の右側面を模式的に示した図である。記録システム１の後部には回復ユニット１２が設けられている。回復ユニット１２は記録ヘッド３０の吐出性能を回復する機構を有する。そのような機構としては、例えば、記録ヘッド３０のインク吐出面をキャッピングするキャップ機構、インク吐出面をワイピングするワイパ機構、インク吐出面から記録ヘッド３０内のインクを負圧吸引する吸引機構を挙げることができる。
【００２２】
案内部材ＲＬは、転写体２の側方から回復ユニット１２に渡って延設されている。記録ユニット３は、案内部材ＲＬの案内により、実線で記録ユニット３を示した吐出位置ＰＯＳ１と、破線で記録ユニット３を示した回復位置ＰＯＳ３との間で変位可能であり、不図示の駆動機構により移動される。
【００２３】
吐出位置ＰＯＳ１は、記録ユニット３が転写体２にインクを吐出する位置であり、記録ヘッド３０のインク吐出面が転写体２の表面に対向する位置である。回復位置ＰＯＳ３は、吐出位置ＰＯＳ１から退避した位置であり、記録ユニット３が回復ユニット１２上に位置する位置である。回復ユニット１２は記録ユニット３が回復位置ＰＯＳ３に位置した場合に、記録ヘッド３０に対する回復処理を実行可能である。本実施形態の場合、記録ユニット３が回復位置ＰＯＳ３に到達する前の移動途中においても回復処理を実行可能である。吐出位置ＰＯＳ１と回復位置ＰＯＳ３の間には予備回復位置ＰＯＳ２があり、回復ユニット１２は記録ヘッド３０が吐出位置ＰＯＳ１から回復位置ＰＯＳ３へ移動する。その間に、予備回復位置ＰＯＳ２において記録ヘッド３０に対する予備的な回復処理を実行可能である。
【００２４】
＜転写ユニット＞
図１を参照して転写ユニット４について説明する。転写ユニット４は、転写胴４１と圧胴４２とを含む。これらの胴は、Ｙ方向の回転軸周りに回転する回転体であり、円筒形状の外周面を有している。図１において、転写胴４１および圧胴４２の各図形内に示した矢印は、これらの回転方向を示しており、転写胴４１は時計回りに、圧胴４２は反時計回りに回転する。
【００２５】
転写胴４１は、その外周面に転写体２を支持する支持体である。転写体２は、転写胴４１の外周面上に、周方向に連続的にあるいは間欠的に設けられる。連続的に設けられる場合、転写体２は無端の帯状に形成される。間欠的に設けられる場合、転写体２は、有端の帯状に複数のセグメントに分けて形成され、各セグメントは転写胴４１の外周面に等ピッチで円弧状に配置することができる。
【００２６】
転写胴４１の回転により、転写体２は円軌道上を循環的に移動する。転写胴４１の回転位相により、転写体２の位置は、吐出前処理領域Ｒ１、吐出領域Ｒ２、吐出後処理領域Ｒ３およびＲ４、転写領域Ｒ５、転写後処理領域Ｒ６に区別することができる。転写体２はこれらの領域を循環的に通過する。
【００２７】
吐出前処理領域Ｒ１は、記録ユニット３によるインクの吐出前に転写体２に対する前処理を行う領域であり、周辺ユニット５Ａによる処理が行われる領域である。本実施形態の場合、反応液が付与される。吐出領域Ｒ２は記録ユニット３が転写体２にインクを吐出して転写体上にインク像を形成する形成領域である。吐出後処理領域Ｒ３およびＲ４はインクの吐出後にインク像に対する処理を行う処理領域であり、吐出後処理領域Ｒ３は周辺ユニット５Ｂによる処理が行われる領域であり、吐出後処理領域Ｒ４は周辺ユニット５Ｃによる処理が行われる領域である。転写領域Ｒ５は転写ユニット４により転写体２上のインク像が記録媒体Ｐに転写される領域である。転写後処理領域Ｒ６は、転写後に転写体２に対する後処理を行う領域であり、周辺ユニット５Ｄによる処理が行われる領域である。
【００２８】
本実施形態の場合、吐出領域Ｒ２は、一定の区間を有する領域である。他の領域Ｒ１、Ｒ３〜Ｒ６は、吐出領域Ｒ２に比べるとその区間は狭い。時計の文字盤に喩えると、本実施形態の場合、吐出前処理領域Ｒ１は概ね１０時の位置であり、吐出領域Ｒ２は概ね１１時から１時の範囲であり、吐出後処理領域Ｒ３は概ね２時の位置であり、吐出後処理領域Ｒ４は概ね４時の位置である。転写領域Ｒ５は概ね６時の位置であり、転写後処理領域Ｒ６は概ね８時の領域である。
【００２９】
転写体２は、単層から構成してもよいが、複数層の積層体としてもよい。複数層で構成する場合、例えば、表面層、弾性層、圧縮層の三層を含んでもよい。表面層はインク像が形成される画像形成面を有する最外層である。圧縮層を設けることで、圧縮層が変形を吸収し、局所的な圧力変動に対してその変動を分散し、高速記録時においても転写性を維持することができる。弾性層は表面層と圧縮層との間の層である。
【００３０】
表面層の材料としては、樹脂、セラミック等各種材料を適宜用いることができるが、耐久性等の点で圧縮弾性率の高い材料を用いることができる。具体的には、アクリル樹脂、アクリルシリコーン樹脂、フッ素含有樹脂、加水分解性有機ケイ素化合物を縮合して得られる縮合物等が挙げられる。表面層には、反応液の濡れ性、画像の転写性等を向上させるために、表面処理を施して用いてもよい。表面処理としては、フレーム処理、コロナ処理、プラズマ処理、研磨処理、粗化処理、活性エネルギー線照射処理、オゾン処理、界面活性剤処理、シランカップリング処理などが挙げられる。これらを複数組み合わせてもよい。また、表面層に任意の表面形状を設けることもできる。
【００３１】
圧縮層の材料としては、例えばアクリロニトリル−ブタジエンゴム、アクリルゴム、クロロプレンゴム、ウレタンゴム、シリコーンゴム等が挙げられる。このようなゴム材料の成形時には、所定量の加硫剤、加硫促進剤等を配合し、さらに発泡剤、中空微粒子或いは食塩等の充填剤を必要に応じて配合し、多孔質のゴム材料としてもよい。これにより、様々な圧力変動に対して気泡部分が体積変化を伴って圧縮されるため、圧縮方向以外への変形が小さく、より安定した転写性、耐久性を得ることができる。多孔質のゴム材料としては、各気孔が互いに連続した連続気孔構造のものと、各気孔がそれぞれ独立した独立気孔構造のものがあるが、いずれの構造であってもよく、これらの構造を併用してもよい。
【００３２】
弾性層の部材としては、樹脂、セラミック等、各種材料を適宜用いることができる。加工特性等の点で、各種エラストマー材料、ゴム材料を用いることができる。具体的には、例えばフルオロシリコーンゴム、フェニルシリコーンゴム、フッ素ゴム、クロロプレンゴム、ウレタンゴム、ニトリルゴム等が挙げられる。また、エチレンプロピレンゴム、天然ゴム、スチレンゴム、イソプレンゴム、ブタジエンゴム、エチレン／プロピレン／ブタジエンのコポリマー、ニトリルブタジエンゴム等が挙げられる。特に、シリコーンゴム、フルオロシリコーンゴム、フェニルシリコーンゴムは、圧縮永久ひずみが小さいため、寸法安定性、耐久性の面で有利である。また、温度による弾性率の変化が小さく、転写性の点でも有利である。
【００３３】
表面層と弾性層の間、弾性層と圧縮層の間には、これらを固定するために各種接着剤や両面テープを用いることもできる。また、転写体２は、転写胴４１に装着する際の横伸びの抑制や、コシを保つために圧縮弾性率が高い補強層を含んでもよい。また、織布を補強層としてもよい。転写体２は前記材質による各層を任意に組み合わせて作製することができる。
【００３４】
圧胴４２は、その外周面が転写体２に圧接される。圧胴４２の外周面には、記録媒体Ｐの先端部を保持するグリップ機構が少なくとも一つ設けられている。グリップ機構は圧胴４２の周方向に離間して複数設けてもよい。記録媒体Ｐは圧胴４２の外周面に密接して搬送されつつ、圧胴４２と転写体２とのニップ部を通過するときに、転写体２上のインク像が転写される。
【００３５】
＜周辺ユニット＞
周辺ユニット５Ａ〜５Ｄは転写胴４１の周囲に配置されている。本実施形態の場合、周辺ユニット５Ａ〜５Ｄは、順に、付与ユニット、吸収ユニット、加熱ユニット、清掃ユニットである。
【００３６】
付与ユニット５Ａは、記録ユニット３によるインクの吐出前に、転写体２上に反応液を付与する機構である。反応液は、インクを高粘度化する成分を含有する液体である。ここで、インクの高粘度化とは、インクを構成している色材や樹脂等がインクを高粘度化する成分と接触することによって化学的に反応し、あるいは物理的に吸着し、これによってインクの粘度の上昇が認められることである。このインクの高粘度化には、インク全体の粘度上昇が認められる場合のみならず、色材や樹脂等のインクを構成する成分の一部が凝集することにより局所的に粘度の上昇が生じる場合も含まれる。
【００３７】
インクを高粘度化する成分は、金属イオン、高分子凝集剤など、特に制限はないが、インクのｐＨ変化を引き起こして、インク中の色材を凝集させる物質を用いることができ、有機酸を用いることができる。反応液の付与機構としては、例えば、ローラ、記録ヘッド、ダイコーティング装置（ダイコータ）、ブレードコーティング装置（ブレードコータ）などが挙げられる。転写体２に対するインクの吐出前に反応液を転写体２に付与しておくと、転写体２に達したインクを直ちに定着させることができる。これにより、隣接するインク同士が混ざり合うブリーディングを抑制することができる。
【００３８】
吸収ユニット５Ｂは、転写前に、転写体２上のインク像から液体成分を吸収する機構である。インク像の液体成分を減少させることで、記録媒体Ｐに記録される画像のにじみ等を抑制することができる。液体成分の減少を異なる視点で説明すれば、転写体２上のインク像を構成するインクを濃縮すると表現することもできる。インクを濃縮するとは、インクに含まれる液体成分が減少することによって、インクに含まれる色材や樹脂といった固形分の液体成分に対する含有割合が増加することを意味する。
【００３９】
吸収ユニット５Ｂは、例えば、インク像に接触してインク像の液体成分の量を減少させる液吸収部材を含む。液吸収部材はローラの外周面に形成されてもよいし、液吸収部材が無端のシート状に形成され、循環的に走行されるものでもよい。インク像の保護の点で、液吸収部材の移動速度を転写体２の周速度と同じにして液吸収部材を転写体２と同期して移動させてもよい。
【００４０】
液吸収部材は、インク像に接触する多孔質体を含んでもよい。液吸収部材へのインク固形分付着を抑制するため、インク像に接触する面の多孔質体の孔径は、１０μｍ以下であってもよい。ここで、孔径とは平均直径のことを示し、公知の手段、例えば水銀圧入法や、窒素吸着法、ＳＥＭ画像観察等で測定可能である。なお、液体成分は、一定の形を有さず、流動性があり、ほぼ一定の体積を有するものであれば、特に限定されるものではない。例えば、インクや反応液に含まれる水や有機溶媒等が液体成分として挙げられる。
【００４１】
加熱ユニット５Ｃは、転写前に、転写体２上のインク像を加熱する機構である。インク像を加熱することで、インク像中の樹脂が溶融し、記録媒体Ｐへの転写性を向上する。加熱温度は、樹脂の最低造膜温度（ＭＦＴ）以上とすることができる。ＭＦＴは一般的に知られている手法、例えばＪＩＳ  Ｋ  ６８２８−２：２００３や、ＩＳＯ２１１５：１９９６に準拠した各装置で測定することが可能である。転写性及び画像の堅牢性の観点から、ＭＦＴよりも１０℃以上高い温度で加熱してもよく、更に、２０℃以上高い温度で加熱してもよい。加熱ユニット５Ｃは、例えば、赤外線等の各種ランプ、温風ファン等、公知の加熱デバイスを用いることができる。加熱効率の点で、赤外線ヒータを用いることができる。
【００４２】
清掃ユニット５Ｄは、転写後に転写体２上を清掃する機構である。清掃ユニット５Ｄは、転写体２上に残留したインクや、転写体２上のごみ等を除去する。清掃ユニット５Ｄは、例えば、多孔質部材を転写体２に接触させる方式、ブラシで転写体２の表面を擦る方式、ブレードで転写体２の表面をかきとる方式等の公知の方式を適宜用いることができる。また、清掃に用いる清掃部材は、ローラ形状、ウェブ形状等、公知の形状を用いることができる。
【００４３】
以上の通り、本実施形態では、付与ユニット５Ａ、吸収ユニット５Ｂ、加熱ユニット５Ｃ、清掃ユニット５Ｄを周辺ユニットとして備えるが、さらに、これらの一部のユニットに転写体２の冷却機能を付与するか、あるいは、冷却ユニットを追加してもよい。本実施形態では、加熱ユニット５Ｃの熱により転写体２の温度が上昇する場合がある。記録ユニット３により転写体２にインクを吐出した後、インク像がインクの主溶剤である水の沸点を超えると、吸収ユニット５Ｂによる液体成分の吸収性能が低下する場合がある。吐出されたインクが水の沸点未満に維持されるように転写体２を冷却することで、液体成分の吸収性能を維持することができる。
【００４４】
冷却ユニットは、転写体２に送風する送風機構や、転写体２に部材（例えばローラ）を接触させ、この部材を空冷または水冷で冷却する機構であってもよい。また、清掃ユニット５Ｄの清掃部材を冷却する機構であってもよい。冷却タイミングは、転写後、反応液の付与前までの期間であってもよい。以下では、清掃ユニット５Ｄの清掃部材、具体的にはローラを冷却することで、転写体２を冷却する方法を例にとり説明を行う。
【００４５】
冷却機能が付与された周辺ユニットまたは冷却ユニットに対して転写体２の回転方向の下流側に温度センサ（１６−１）を設置し、転写体２の温度を検知して冷却性能を検知する。ここでは清掃ユニット５Ｄの下流側に温度センサを配置している。前記温度センサの設置位置はＲ１〜Ｒ３までの領域となる。
【００４６】
＜供給ユニット＞
供給ユニット６は、記録ユニット３の各記録ヘッド３０にインクを供給する機構である。供給ユニット６は記録システム１の後部側に設けられていてもよい。供給ユニット６は、インクの種類毎に、インクを貯留する貯留部ＴＫを備える。貯留部ＴＫは、メインタンクとサブタンクとによって構成されてもよい。各貯留部ＴＫと各記録ヘッド３０とは流路６ａで連通し、貯留部ＴＫから記録ヘッド３０へインクが供給される。流路６ａは、貯留部ＴＫと記録ヘッド３０との間でインクを循環させる流路であってもよく、供給ユニット６はインクを循環させるポンプ等を備えてもよい。流路６ａの途中または貯留部ＴＫには、インク中の気泡を脱気する脱気機構を設けてもよい。流路６ａの途中または貯留部ＴＫには、インクの液圧と大気圧との調整を行うバルブを設けてもよい。貯留部ＴＫ内のインク液面が、記録ヘッド３０のインク吐出面よりも低い位置となるように、貯留部ＴＫと記録ヘッド３０のＺ方向の高さが設計されてもよい。
【００４７】
＜搬送装置＞
搬送装置１Ｂは、記録媒体Ｐを転写ユニット４へ給送し、インク像が転写された記録物Ｐ’を転写ユニット４から排出する装置である。搬送装置１Ｂは、給送ユニット７、複数の搬送胴８、８ａ、二つのスプロケット８ｂ、チェーン８ｃおよび回収ユニット８ｄを含む。図１において、搬送装置１Ｂの各構成の図形の内側の矢印はその構成の回転方向を示し、外側の矢印は記録媒体Ｐまたは記録物Ｐ’の搬送経路を示している。記録媒体Ｐは給送ユニット７から転写ユニット４へ搬送され、記録物Ｐ’は転写ユニット４から回収ユニット８ｄへ搬送される。給送ユニット７側を搬送方向で上流側と呼び、回収ユニット８ｄ側を下流側と呼ぶ場合がある。
【００４８】
給送ユニット７は、複数の記録媒体Ｐが積載される積載部を含むと共に、積載部から一枚ずつ記録媒体Ｐを、最上流の搬送胴８に給送する給送機構を含む。各搬送胴８、８ａはＹ方向の回転軸周りに回転する回転体であり、円筒形状の外周面を有している。各搬送胴８、８ａの外周面には、記録媒体Ｐ（または記録物Ｐ’）の先端部を保持するグリップ機構が少なくとも一つ設けられている。各グリップ機構は、隣接する搬送胴間で記録媒体Ｐを受け渡されるように、その把持動作および解除動作が制御される。
【００４９】
二つの搬送胴８ａは、記録媒体Ｐの反転用の搬送胴である。記録媒体Ｐを両面記録する場合、表面への転写後に、圧胴４２から下流側に隣接する搬送胴８へ記録媒体Ｐを渡さずに、搬送胴８ａに渡す。記録媒体Ｐは、二つの搬送胴８ａを経由して表裏が反転され、圧胴４２の上流側の搬送胴８を経由して再び圧胴４２へ渡される。これにより、記録媒体Ｐの裏面が転写胴４１に面することになり、裏面にインク像が転写される。
【００５０】
チェーン８ｃは、二つのスプロケット８ｂ間に巻き回されている。二つのスプロケット８ｂの一方は駆動スプロケットであり他方は従動スプロケットである。駆動スプロケットの回転によりチェーン８ｃが循環的に走行する。チェーン８ｃには、その長手方向に離間して複数のグリップ機構が設けられている。グリップ機構は、記録物Ｐ’の端部を把持する。下流端に位置する搬送胴８からチェーン８ｃのグリップ機構に記録物Ｐ’が渡され、グリップ機構に把持された記録物Ｐ’はチェーン８ｃの走行により回収ユニット８ｄへ搬送され、把持が解除される。これにより記録物Ｐ’が回収ユニット８ｄ内に積載される。
【００５１】
＜後処理ユニット＞
搬送装置１Ｂには、後処理ユニット１０Ａ、１０Ｂが設けられている。後処理ユニット１０Ａ、１０Ｂは転写ユニット４よりも下流側に配置され、記録物Ｐ’に対して後処理を行う機構である。後処理ユニット１０Ａは、記録物Ｐ’の表面に対する処理を行い、後処理ユニット１０Ｂは、記録物Ｐ’の裏面に対する処理を行う。処理の内容としては、例えば、記録物Ｐ’の画像記録面に、画像の保護や艶出し等を目的としたコーティングを挙げることができる。コーティングの内容としては、例えば、液体の塗布、シートの溶着、ラミネート等を挙げることができる。
【００５２】
＜検査ユニット＞
搬送装置１Ｂには、検査ユニット９Ａ、９Ｂが設けられている。検査ユニット９Ａ、９Ｂは転写ユニット４よりも下流側に配置され、記録物Ｐ’の検査を行う機構である。
【００５３】
本実施形態の場合、検査ユニット９Ａは、記録物Ｐ’に記録された画像を撮影する撮影装置であり、例えば、ＣＣＤセンサやＣＭＯＳセンサ等の撮像素子を含む。検査ユニット９Ａは、連続的に行われる記録動作中に、記録画像を撮影する。検査ユニット９Ａが撮影した画像に基づいて、記録画像の色味などの経時変化を確認し、画像データあるいは記録データの補正の可否を判断することができる。本実施形態の場合、検査ユニット９Ａは、圧胴４２の外周面に撮像範囲が設定されており、転写直後の記録画像を部分的に撮影可能に配置されている。検査ユニット９Ａにより全ての記録画像の検査を行ってもよいし、所定数毎に検査を行ってもよい。
【００５４】
本実施形態の場合、検査ユニット９Ｂも、記録物Ｐ’に記録された画像を撮影する撮影装置であり、例えば、ＣＣＤセンサやＣＭＯＳセンサ等の撮像素子を含む。検査ユニット９Ｂは、テスト記録動作において記録画像を撮影する。検査ユニット９Ｂは、記録画像の全体を撮影し、検査ユニット９Ｂが撮影した画像に基づいて、記録データに関する各種の補正の基本設定を行うことができる。本実施形態の場合、チェーン８ｃで搬送される記録物Ｐ’を撮影する位置に配置されている。検査ユニット９Ｂにより記録画像を撮影する場合、チェーン８ｃの走行を一時的に停止して、その全体を撮影する。検査ユニット９Ｂは、記録物Ｐ’上を走査するスキャナであってもよい。
【００５５】
＜制御ユニット＞
次に、記録システム１の制御ユニットについて説明する。図４および図５は記録システム１の制御ユニット１３のブロック図である。制御ユニット１３は、上位装置（ＤＦＥ）ＨＣ２に通信可能に接続され、また、上位装置ＨＣ２はホスト装置ＨＣ１に通信可能に接続される。
【００５６】
ホスト装置ＨＣ１では、記録画像の元になる原稿データが生成、あるいは保存される。ここでの原稿データは、例えば、文書ファイルや画像ファイル等の電子ファイルの形式で生成される。この原稿データは、上位装置ＨＣ２へ送信され、上位装置ＨＣ２では、受信した原稿データを制御ユニット１３で利用可能なデータ形式（例えば、ＲＧＢで画像を表現するＲＧＢデータ）に変換する。変換後のデータは、画像データとして上位装置ＨＣ２から制御ユニット１３へ送信され、制御ユニット１３は受信した画像データに基づき、記録動作を開始する。
【００５７】
本実施形態の場合、制御ユニット１３は、メインコントローラ１３Ａと、エンジンコントローラ１３Ｂとに大別される。メインコントローラ１３Ａは、処理部１３１、記憶部１３２、操作部１３３、画像処理部１３４、通信Ｉ／Ｆ（インタフェース）１３５、バッファ１３６および通信Ｉ／Ｆ１３７を含む。
【００５８】
処理部１３１は、ＣＰＵ等のプロセッサであり、記憶部１３２に記憶されたプログラムを実行し、メインコントローラ１３Ａ全体の制御を行う。記憶部１３２は、ＲＡＭ、ＲＯＭ、ハードディスク、ＳＳＤ等の記憶デバイスであり、ＣＰＵ１３１が実行するプログラムや、データを格納し、また、ＣＰＵ１３１にワークエリアを提供する。操作部１３３は、例えば、タッチパネル、キーボード、マウス等の入力デバイスであり、ユーザの指示を受け付ける。
【００５９】
画像処理部１３４は例えば画像処理プロセッサを有する電子回路である。バッファ１３６は、例えば、ＲＡＭ、ハードディスクやＳＳＤである。通信Ｉ／Ｆ１３５は上位装置ＨＣ２との通信を行い、通信Ｉ／Ｆ１３７はエンジンコントローラ１３Ｂとの通信を行う。図４において破線矢印は、画像データの処理の流れを例示している。上位装置ＨＣ２から通信ＩＦ１３５を介して受信された画像データは、バッファ１３６に蓄積される。画像処理部１３４はバッファ１３６から画像データを読み出し、読み出した画像データに所定の画像処理を施して、再びバッファ１３６に格納する。バッファ１３６に格納された画像処理後の画像データは、プリントエンジンが用いる記録データとして、通信Ｉ／Ｆ１３７からエンジンコントローラ１３Ｂへ送信される。
【００６０】
図５に示すように、エンジンコントローラ１３Ｂは、制御部１４、１５Ａ〜１５Ｅを含み、記録システム１が備えるセンサ群およびアクチュエータ群１６の検知結果の取得および駆動制御を行う。これらの各制御部は、ＣＰＵ等のプロセッサ、ＲＡＭやＲＯＭ等の記憶デバイス、外部デバイスとのインタフェースを含む。なお、制御部の区分けは一例であり、一部の制御を更に細分化した複数の制御部で実行してもよいし、逆に、複数の制御部を統合して、それらの制御内容を一つの制御部で行うように構成してもよい。
【００６１】
エンジン制御部１４は、エンジンコントローラ１３Ｂの全体の制御を行う。記録制御部１５Ａは、メインコントローラ１３Ａから受信した記録データをラスタデータ等、記録ヘッド３０の駆動に適したデータ形式に変換する。記録制御部１５Ａは、各記録ヘッド３０の吐出制御を行う。
【００６２】
図８で転写制御部１５Ｂの構成を示す。転写制御部１５Ｂは、付与ユニット５Ａの制御部１５Ｂ−２、吸収ユニット５Ｂの制御部１５Ｂ−３、加熱ユニット５Ｃの制御部１５Ｂ−４、および冷却機能を持つ清掃ユニット５Ｄの制御部１５−Ｂ５を備える。１５Ｂ−２〜１５Ｂ−５の各制御の熱処理に関連する制御を管理する熱制御部１５Ｂ−１を備える。
【００６３】
図５に戻り、信頼性制御部１５Ｃは、供給ユニット６の制御、回復ユニット１２の制御、および記録ユニット３を吐出位置ＰＯＳ１と回復位置ＰＯＳ３との間で移動させる駆動機構の制御を行う。
【００６４】
搬送制御部１５Ｄは、搬送装置１Ｂの制御を行う。検査制御部１５Ｅは、検査ユニット９Ｂの制御、および検査ユニット９Ａの制御を行う。
【００６５】
センサ群およびアクチュエータ群１６のうち、センサ群には、可動部の位置や速度を検知するセンサ、温度を検知するセンサ、撮像素子等が含まれる。アクチュエータ群にはモータ、電磁ソレノイド、電磁バルブ等が含まれる。
【００６６】
冷却後の転写体２の温度を取得する温度センサ（１６−１）も、図８におけるセンサ／アクチュエータ群１６に含まれる構成となる。
【００６７】
＜動作例＞
図６は記録動作の例を模式的に示す図である。転写胴４１および圧胴４２が回転されつつ、以下の各工程が循環的に行われる。状態ＳＴ１に示すように、始めに転写体２上に付与ユニット５Ａから反応液Ｌが付与される。転写体２上の反応液Ｌが付与された部位は転写胴４１の回転に伴って移動していく。反応液Ｌが付与された部位が記録ヘッド３０の下に到達すると、状態ＳＴ２に示すように記録ヘッド３０から転写体２にインクが吐出される。これによりインク像ＩＭが形成される。その際、吐出されるインクが転写体２上の反応液Ｌと混ざり合うことで、色材の凝集が促進される。吐出されるインクは、供給ユニット６の貯留部ＴＫから記録ヘッド３０に供給される。
【００６８】
転写体２上のインク像ＩＭは転写体２の回転に伴って移動していく。インク像ＩＭが吸収ユニット５Ｂに到達すると状態ＳＴ３に示すように吸収ユニット５Ｂによりインク像ＩＭから液体成分が吸収される。インク像ＩＭが加熱ユニット５Ｃに到達すると状態ＳＴ４に示すように加熱ユニット５Ｃによりインク像ＩＭが加熱され、インク像ＩＭ中の樹脂が溶融し、インク像ＩＭが造膜される。このようなインク像ＩＭの形成に同期して、搬送装置１Ｂにより記録媒体Ｐが搬送される。
【００６９】
状態ＳＴ５に示すように、インク像ＩＭと記録媒体Ｐとが転写体２と圧胴４２とのニップ部に到達し、記録媒体Ｐにインク像ＩＭが転写され、記録物Ｐ’が製造される。ニップ部を通過すると、記録物Ｐ’に記録された画像が検査ユニット９Ａにより撮影され、記録画像が検査される。記録物Ｐ’は搬送装置１Ｂにより回収ユニット８ｄへ搬送される。
【００７０】
転写体２上のインク像ＩＭが形成されていた部分は、清掃ユニット５Ｄに到達すると状態ＳＴ６に示すように清掃ユニット５Ｄにより清掃される。清掃後、転写体２は一回転したことになり、同様の手順で記録媒体Ｐへのインク像の転写が繰り返し行われる。上記の説明では理解を容易にするために、転写体２の一回転で一枚の記録媒体Ｐへのインク像ＩＭの転写が一回行われるように説明したが、転写体２の一回転で複数枚の記録媒体Ｐへのインク像ＩＭの転写が連続的に行うことができる。
【００７１】
このような記録動作を継続していくと、各記録ヘッド３０のメンテナンスが必要となる。図７は各記録ヘッド３０のメンテナンスの際の動作例を示している。状態ＳＴ１１は、吐出位置ＰＯＳ１に記録ユニット３が位置している状態を示す。状態ＳＴ１２は、記録ユニット３が予備回復位置ＰＯＳ２を通過している状態を示し、通過中に回復ユニット１２により記録ユニット３の各記録ヘッド３０の吐出性能を回復する処理が実行される。その後、状態ＳＴ１３に示すように、記録ユニット３が回復位置ＰＯＳ３に位置した状態で、回復ユニット１２により各記録ヘッド３０の吐出性能を回復する処理が実行される。
【００７２】
（第１の実施形態）
第１の実施形態として上述した実施形態の記録システムにおいて記録準備段階で冷却制御が正常に機能するかどうかの判定を行う処理を説明する。
【００７３】
図９は第１の実施形態における処理のフローを説明する図である。ステップＳ９０１において、操作部１３３、あるいは上位装置からユーザが記録の準備動作の指示した入力を受けると、メインコントローラ１３Ａは転写体２を制御して転写体２は回転動作を開始する。
【００７４】
次いで、転写体２の動作が始まった後、ステップＳ９０２において、メインコントローラ１３Ａは加熱ユニット５Ｃを用いて転写体２を加熱するための加熱制御を開始する。
【００７５】
次いで、ステップＳ９０３では、メインコントローラ１３Ａは内部タイマ（不図示）などにより、予め設定した時間Ｔ１が経過したか否かを判断する。ここで、経過するまでは判断を繰り返し、経過したと判断した場合はＳ９０４へ進む。
【００７６】
次いで、ステップＳ９０４において、メインコントローラ１３Ａは、清掃ユニット５Ｄの冷却を制御して、転写体２を冷却するための冷却制御を開始する。
【００７７】
次いで、ステップＳ９０５では、ステップＳ９０２で開始した加熱制御とステップＳ９０４で開始した冷却制御が行われている状態で、加熱制御開始から予め設定した時間Ｔ２（Ｔ１＞Ｔ２）が経過したかを判断する。この判断もメインコントローラ１３Ａが行い、内部タイマ（不図示）を利用する。経過するまでは判断を繰り返し、経過したと判断した場合はＳ９０６へ進む。
【００７８】
そして、ステップＳ９０６において、メインコントローラ１３Ａは、温度を検知するための温度センサ１６−１で転写体２の温度情報を取得する。
【００７９】
ステップＳ９０７では、メインコントローラ１３Ａは、ステップＳ９０６で取得した温度情報が、記録準備の段階で加熱制御と冷却制御を行っている際の目標にする目標温度範囲と比較する。この目標温度は中央値が数十度であり、程度（例えば５度）の幅を温度範囲である。Ｓ９０６で取得した温度が目標温度の範囲以内に収まっていない場合には冷却機能不足と判断してステップＳ９０８で冷却制御エラー処理をとして記録の準備動作を停止する。このときのエラー処理は操作部１３３がパネルであればエラー表示を行うし、ホスト装置ＨＣ１側へ情報を送信して不図示のディスプレイにエラー表示をしてもよい。
【００８０】
一方、ステップＳ９０６で取得した温度情報が示す温度が目標温度範囲以内であった場合には、冷却制御は正常に機能していると判断し、記録の準備動作を終了し、記録に移る。この段階までは各記録ヘッドからインクを吐出していなかったが、メインコントローラ１３Ａは、原稿データに基づいて各記録ヘッドにインクを転写体２へ吐出させる。
【００８１】
尚、Ｔ１、Ｔ２はそれぞれ数秒から数十秒程度、またはそれ以上の時間を適宜設定すればよい。
【００８２】
図１０は図９のフローチャートにおける加熱制御開始からの経過時間と転写体２の表面の温度の関係を示すグラフである。加熱制御を開始した時点を原点とする。加熱制御開始以降、時間経過とともに温度（実線）は上昇する。時間Ｔ１を経過すると冷却制御が開始される。冷却制御が開始されるとＴ１時間以降の温度上昇の傾きはＴ１以前に比べて緩やかになり、一定時間経過後、予め設定された目標温度の範囲に保たれることになる。しかし冷却制御が正常に機能しない場合は、図１０における鎖線のように目標温度の範囲を越える又は下回る状態となる。この状態でＴ２経過後に取得した温度が、目標温度範囲以内でないと判断した場合は冷却エラーと判断し、冷却エラーの処理を行うことになる。
【００８３】
（第２の実施形態）
図１１は第２の実施形態における処理のフローを説明する図である。ステップＳ１１０１〜ステップＳ１１０６の各ステップは、図９を用いて説明した実施形態１のステップＳ９０１〜ステップＳ９０６の各ステップと同じであるため説明を省略する。またＴ１、Ｔ２は実施形態１と同じであり説明を省略する。また、各ステップにおいてメインコントローラ１３Ａが記録システムの各ユニットを制御する点も、特段の説明がない限り実施形態１と同様である。
【００８４】
ステップＳ１１０７ではステップＳ１１０６で取得した温度情報が、記録準備の段階で加熱制御と冷却制御を行っている際の目標にする目標温度範囲と比較する。この目標温度は中央値が数十度であり、程度（例えば５度）の幅を温度範囲である。ステップＳ１１０６で取得した温度が目標温度の範囲以内に収まっていない場合には冷却機能不足と判断してステップＳ１１１２で冷却制御エラー処理をとして記録の準備動作を停止する。
【００８５】
一方、ステップＳ１１０６で取得した温度情報が目標温度範囲以内であった場合には、Ｓ１１０８に進み、ステップＳ１１０２で開始した加熱制御Ａよりも転写体２の表面が高温となる加熱制御Ｂを開始する。これは加熱ユニット５Ｃの加熱温度を上げることで行う。
【００８６】
ステップＳ１１０９では、加熱制御Ａの開始から予め設定した時間Ｔ３（Ｔ３＞Ｔ２）を経過したかを判断し、経過したと判断した場合はステップＳ１１１０に進む。
【００８７】
次いで、ステップＳ１１１０において温度センサ１６−１から温度を取得する。
【００８８】
次いで、ステップステップＳ１１１１で、ステップＳ１１１０で取得した温度情報が示す温度が記録中の目標温度範囲以内であるか否かを判断する。記録中の目標温度範囲は、この目標温度は中央値が数十度であり、程度（例えば５度）の幅を温度範囲である。そして、ステップＳ１１０７で用いた記録準備段階の目標温度範囲よりも高い温度範囲である。
【００８９】
取得した温度が記録中の目標温度範囲を外れている場合には、Ｓ１１１３に移り、冷却制御エラー処理をとして記録の準備動作を停止する。
【００９０】
一方、取得した温度が記録中の目標温度範囲以内である場合には、冷却制御は正常に機能していると判断し、記録の準備動作を終了し、記録に移る。尚、Ｔ１、Ｔ２はそれぞれ数秒から数十秒程度、またはそれ以上の時間を適宜設定すればよい。
【００９１】
図１２は図１１のフローチャートにおける加熱開始からの経過時間と温度の関係を示す表である。原点を起点として加熱制御Ａが開始されると、時間経過とともに転写体２の温度は上昇する。Ｔ１を経過すると転写体２の温度を記録準備段階の目標温度Ａとする冷却制御を開始する。ステップＳ１１０７の目標温度範囲はこの目標温度Ａを中央に上下にマージンを数度取った範囲である。その後、時間Ｔ２経過時に温度の取得を行い、その温度が目標温度Ａ近傍すなわち、記録準備段階の温度範囲以内に入っている場合には更なる加熱制御Ｂを行う。加熱制御Ｂと冷却制御が動作した後、Ｔ３経過後に温度の取得を行い、その温度が目標温度Ｂ近傍を維持できていた場合、冷却制御は正常に動作していると判断し冷却制御チェックを終了する。記録時の目標温度範囲は目標温度Ｂを中央に上下にマージンを数度取った範囲である。
【００９２】
（第３の実施形態）
図１３は第３の実施形態におけるフローを説明する図である。ステップＳ１３０１〜ステップＳ１３０６の各ステップは、図９を用いて説明した実施形態１のステップＳ９０１〜ステップＳ９０６の各ステップと同じであるため説明を省略する。またＴ１、Ｔ２は実施形態１と同じであり説明を省略する。また、各ステップにおいてメインコントローラ１３Ａが印刷システムの各ユニットを制御する点も、特段の説明がない限り実施形態１と同様である。
【００９３】
ステップＳ１３０７ではステップＳ１３０６で取得した温度情報と、印刷準備の段階で加熱制御と冷却制御を行っている際の目標にする目標温度範囲と比較する。この目標温度は中央値が数十度であり、程度（例えば５度）の幅を温度範囲である。
【００９４】
ステップＳ１３０６で取得した温度情報が目標温度範囲以内であった場合には、ステップＳ１３０８に進み、ステップＳ１３０２で開始した加熱制御Ａよりも転写体２の表面が高温となる加熱制御Ｂを開始する。これは加熱ユニット５Ｃの加熱温度を上げることで行う。そしてステップＳ１３０９へ進む。
【００９５】
一方、ステップＳ１３０７において、取得した温度が目標温度の範囲以内に収まっていない場合にはステップＳ１３１２へ進む。
【００９６】
ステップＳ１３１２では、加熱制御Ａから加熱制御Ｃへと加熱制御を変更することで、目標温度範囲以内に温度を維持できる判断した場合には、ステップＳ１３１３へ進む。この判断では、取得した温度が目標温度よりさらに数度広がった範囲以内であるかどうかを判断するそのために取得した温度と目標温度（目標温度範囲の中央値）との差分が所定の閾値以下であるか否かで判断する。目標温度範囲からさらに数度広い範囲を設定しその範囲の上限および下限と中央値との差分を閾値として用いればよい。
【００９７】
ステップＳ１３１３では、加熱制御Ａよりも転写体２の表面が高温となる加熱制御Ｃを開始する。これは加熱ユニット５Ｃの加熱温度を上げることで行う。そしてステップＳ１３０９へ進む。なお加熱制御Ｃの温度については後述する。
【００９８】
取得した温度と目標温度（目標温度範囲の中央値）との差分が所定の閾値を超えている場合は、Ｓ１３１４に移り、冷却制御エラー処理をとして記録の準備動作を停止する。
【００９９】
ステップＳ１３０９では、加熱制御Ａの開始から予め設定した時間Ｔ３（Ｔ３＞Ｔ２）を経過したかを判断し、経過したと判断した場合はステップＳ１３１０に進む。
【０１００】
次いで、ステップＳ１３１０において温度センサ１６−１から温度を取得する。
【０１０１】
次いで、ステップステップＳ１３１１で、ステップＳ１３１０で取得した温度情報が示す温度が記録中の目標温度範囲以内であるか否かを判断する。記録中の目標温度範囲は、この目標温度は中央値が数十度であり、程度（例えば５度）の幅を温度範囲である。そして、ステップＳ１３０７で用いた記録準備段階の目標温度範囲よりも高い温度範囲である。
【０１０２】
取得した温度が記録中の目標温度範囲を外れている場合には、Ｓ１１１５に移り、冷却制御エラー処理をとして記録の準備動作を停止する。
【０１０３】
一方、取得した温度が記録中の目標温度範囲以内である場合には、冷却制御は正常に機能していると判断し、記録の準備動作を終了し、記録に移る。
【０１０４】
図１４は図１３のフローチャートにおける加熱開始からの経過時間と温度の関係を示す表である。原点を起点として加熱制御Ａが開始されると、時間経過とともに転写体２の温度は上昇する。加熱制御ＡをＴ１継続すると転写体２の温度を目標温度Ａとする冷却制御を開始する。その後Ｔ２経過時に温度の取得を行い、その温度が目標温度Ａ近傍を維持できていた場合には更なる加熱制御Ｂを行う。取得した温度が目標温度Ａ近傍でなくとも加熱制御を変更することで目標温度Ｂを維持可能な範囲（ここでは目標温度Ｃ以下で目標温度Ｄを超えている範囲）の場合は加熱制御Ｃを行う。加熱制御Ｃは、取得した温度が目標温度Ａよりも低い場合は加熱制御Ｂより強い加熱を行い、取得した温度が目標温度Ａよりも高い場合は加熱制御Ｂより弱い加熱を行う制御である。そしてＴ３時間経過後に温度の取得を行い、その温度が目標温度Ｂ近傍を維持できていた場合、冷却制御は正常に動作していると判断し冷却制御チェックを終了する。
【０１０５】
このように、目標温度Ａに対して検知温度が目標温度Ｄを超えてかつ目標温度Ｃ以下の許容範囲内（目標温度Ｄ＜目標温度Ａ＜目標温度Ｃ）の場合、加熱制御を再設定することで装置を停止することなく冷却制御の異常検知を継続できるという効果がある。
【０１０６】
＜他の実施形態＞
上記実施形態では、記録ユニット３が複数の記録ヘッド３０を有するが、一つの記録ヘッド３０を有してもよい。記録ヘッド３０はフルラインヘッドでなくてもよく、記録ヘッド３０をＹ方向に走査させながらインク像を形成するシリアル方式であってもよい。
【０１０７】
記録媒体Ｐの搬送機構は、ローラ対によって記録媒体Ｐを挟持して搬送する方式等、他の方式であってもよい。ローラ対によって記録媒体Ｐを搬送する方式等においては、記録媒体Ｐとしてロールシートを用いてもよく、転写後にロールシートをカットして記録物Ｐ’を製造してもよい。
【０１０８】
上記実施形態では、転写体２を転写胴４１の外周面に設けたが、転写体２を無端の帯状に形成し、循環的に走行させる方式等、他の方式であってもよい。
【０１０９】
また、本発明は上述の実施形態の１以上の機能を実現するプログラムをネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【図１】
2019150962.tif 000003
【図２】
2019150962.tif 000004
【図３】
2019150962.tif 000005
【図４】
2019150962.tif 000006
【図５】
2019150962.tif 000007
【図６】
2019150962.tif 000008
【図７】
2019150962.tif 000009
【図８】
2019150962.tif 000010
【図９】
2019150962.tif 000011
【図１０】
2019150962.tif 000012
【図１１】
2019150962.tif 000013
【図１２】
2019150962.tif 000014
【図１３】
2019150962.tif 000015
【図１４】
2019150962.tif 000016